(57)【要約】【課題】  従来の洋風大便器においては、男性が着座姿勢で小便をする際の放尿スペースが狭く、意識的に真下方向に放尿しなければ便座を小便で汚してしまうことになる。また、リム部分の上面が水平であり幅があることから、男性が起立姿勢で小便をする際には、放尿後に落下したしずくが、リム部分の上面にこぼれてしまう。本発明によるリップ付き洋風大便器は、男性が洋風大便器で小便をする際の、これらの問題点を解決するために提供するものである。【解決手段】  本発明によるリップ付き洋風大便器は、リム部分の最前部を手前に突き出させ、その上面を内側に傾斜させた小さなリップを配置した構造としたものである。また、便座は最前部が割れている前割便座を使用するものとする。なお、リップ部分上面に付着した小便のしずくについては、リップ部分上面に配置した洗浄水ノズルから吐水される洗浄水によって洗い流す構造とする。【選択図】図３
2007070995.tif 000002
【特許請求の範囲】
【請求項１】
洋風大便器において、リム部分の最前部にリップを有し、リップ部分に洗浄水の吐水孔を設けたことを特徴とするリップ付き洋風大便器。
【請求項２】
リップ部分に設けた洗浄水の吐水孔に、洗浄水ノズルを使用することを特徴とする請求項１記載のリップ付き洋風大便器。
【発明の詳細な説明】
【技術分野】
【０００１】
本発明は、洋風大便器において、男性による着座姿勢での放尿時に小便が飛びすぎて便座を汚したり、起立姿勢による放尿後の小便のしずくの落下によってリム部の上面や床を汚すことのないような、便器の形状に関するものである。
【背景技術】
【０００２】
現在の洋風大便器は、洗浄機能、快適機能、清潔機能等において様々な工夫が成されているが、男性の小便の使用に際しての機能を有するものは見られない。
【０００３】
なお、本発明に関連する公知技術として次の特許文献１を挙げることができる。
【０００４】
【特許文献１】特開２００２−９７７０２号公報
【発明の開示】
【発明が解決しようとする課題】
【０００５】
洋風大便器においては、便座の最前部が割れていない前丸便座が主流であり、男性が着座姿勢で小便をする際に、放尿スペースが狭く、意識的に真下方向に放尿しなければ便座を小便で汚してしまうことになる。それによって、便座の下部に入り込んだ小便は、便座の裏面を汚すと共に、便鉢の外面をつたって床にまで垂れることもある。
【０００６】
また、洋風大便器のリム部分の上面が水平であり幅があることから、男性が起立姿勢で小便をする際には、放尿後に落下したしずくが、リム部分の上面にこぼれてしまう。本発明は、男性が洋風大便器で小便をする際の、これらの問題点を解決するためになされたものである。
【課題を解決するための手段】
【０００７】
小便器の下部において、手前に突き出ている尿のしずくを受ける部分をリップという。本発明によるリップ付き洋風大便器は、リム部分の最前部を手前に突き出させ、その上面を内側に傾斜させた小さなリップ部分を配置した構造としたものである。また、便座は最前部が割れている前割便座を使用するものとする。
【０００８】
なお、リップ部分に付着した小便のしずくについては、リップ部分上面に配置した洗浄水ノズルから吐水される洗浄水によって洗い流す構造とする。
【０００９】
前記洗浄水ノズルは、洗浄水がリップ部分上面に沿って流れるようにするために、リップ部分上面に開けた孔に差し込むことによって、この孔から吐水する洗浄水の方向を変えるためのものである。本発明は、以上の構造からなる男性の小便の使用に適したリップ付き洋風大便器である。
【発明の効果】
【００１０】
男性が着座姿勢で小便をする際に、小便が飛び過ぎても、前割便座を使用していることから便座を汚すことはなく、それをリップ部分で受け止め、また、男性が起立姿勢で小便をする際においても、放尿後に落下したしずくを、リップ部分で受け止める構造とし、さらに、リップ部分に付いたしずくを洗浄水ノズルから吐水される洗浄水によって洗い流することにより、便座やリム最前部の上面を汚すことがなく、臭気の原因を取り除き、常に衛生的な状態で使用することが可能である。
【発明を実施するための最良の形態】
【００１１】
従来の洋風大便器におけるリム部分は、図１に示すように、リム前部分４とリム横部分５が共に同じ形状であり、その上面はほぼ水平で幅が広い。本発明によるリップ付き洋風大便器は、図２に示すように、リム部分の最前部を手前に突き出させ、その上面を内側に傾斜させたリップ部分６を配置したものである。なお、便座は最前部が割れている前割便座を使用することから、便座を下ろしても、図３に示すように、リップ部分６が便座２に隠れることはない。
【００１２】
洗浄方式については、図４、図５に示すように、従来のリム部分下部にあるリム部洗浄水吐水孔９から吐水される洗浄水の他に、リップ部分上面７に設置した洗浄水ノズル１０から吐水される先浄水によって、リップ部分上面７の洗浄を行うものである。
【００１３】
洗浄水ノズル１０とは、リップ部分上面７に開けた孔から吐水する洗浄水の方向を、リップ部分上面７に沿って吐水するように、吐水方向を９０°変えるためのものである。その形状は、図６、図７、図８に示すように、９０°の角度を成している吐水孔１１と流入孔１２、そして、リップ部への差込み部分１３からなるものであり、リップ部分上面７に開けられた孔に差込むことによって使用するものである。
【００１４】
本発明によるリップ付き洋風大便器の全体を図９に示す。なお、リップ部分６の大きさや形状、洗浄水ノズル１０の大きさや材質、配置する個数については、適宜選択されるものであり、限定されるものではない。
【図面の簡単な説明】
【００１５】
【図１】便座を上げた状態における、従来の洋風大便器の便鉢後方からの斜視図である。
【図２】便座を上げた状態における、本発明によるリップ付き洋風大便器の便鉢後方からの斜視図である。
【図３】便座を下げた状態における、本発明によるリップ付き洋風大便器の便鉢後方からの斜視図である。
【図４】本発明によるリップ付き洋風大便器における、リップ部分周辺の洗浄水の流れの状態を示した、便鉢後方からの斜視図である。
【図５】本発明によるリップ付き洋風大便器における、リム部洗浄水吐水孔とリップ部分における洗浄水ノズルからの洗浄水の流れを示した、図２におけるＡ−Ａ線でリップ部を切断した断面図である。
【図６】洗浄水ノズルの斜視図である。
【図７】洗浄水ノズルの正面図である。
【図８】洗浄水ノズルの右側側面図である。
【図９】本発明によるリップ付き洋風大便器の全体を示した斜視図である。
【符号の説明】
【００１６】
１    便鉢
２    便座
３    便フタ
４    リム前部分
５    リム横部分
６    リップ部分
７    リップ部分上面
８    リム部洗浄水導水路
９    リム部洗浄水吐水孔
１０  洗浄水ノズル
１１  吐水孔
１２  流入孔
１３  リップ部への差込み部分
【図１】
2007070995.tif 000003
【図２】
2007070995.tif 000004
【図３】
2007070995.tif 000005
【図４】
2007070995.tif 000006
【図５】
2007070995.tif 000007
【図６】
2007070995.tif 000008
【図７】
2007070995.tif 000009
【図８】
2007070995.tif 000010
【図９】
2007070995.tif 000011